(57)【要約】【課題】  取り付けたときの位置精度が高く、操作性に優れる着脱式のメダル払出用フロントパネルを備えたメダル貸出機を提供する。【解決手段】  先端部が剣先状をした側部フック３７ａと係止穴３７ｂとが係合し、パネル背面より離間するにしたがって下辺が下方に向かう傾斜辺を有する下部フック４１は、ケースより立設させた下部フック支持片４７によって支持されることにより、払出用フロントパネル２２を本体ケース２１に簡単かつ確実に取り付けることができる。このときに、凸状片３８ａが、上下方向に移動可能に形成された可動板４５からなる凹状片３８ｂと係合することによって、払出用フロントパネル２２より突設されたコネクタ部４０ａと可動板４５に保持されたコネクタ部４０ｂとが安全に接触して結線される。【選択図】図５
2008012251.tif 000002
【特許請求の範囲】
【請求項１】
本体ケース内部に収納されたメダル払出装置を取り出す際に、その前面に備わるメダル払出用のフロントパネルを取り外して作業するように構成されたメダル貸出機において、前記払出用フロントパネルと前記本体ケース内部とを電気的に結線するために設けたコネクタ部について、前記本体ケース側のコネクタ部は上下に移動可能な可動板に取り付けられるとともに、前記可動板と前記払出用フロントパネルの背面とは、そのどちらか一方に備えた凹部と他方に備えた凸部とを係合させた状態で嵌合することを特徴とするメダル払出装置。
【請求項２】
前記可動板は、長穴によって上下の移動範囲が規制されていることを特徴とする請求項１に記載のメダル払出装置。
【請求項３】
前記本体ケースと前記払出用フロントパネルとは、そのどちらか一方の側部に備えた剣先状の先端部を有する側部フックと、他方の対向する側部に備えた係止穴とが少なくとも上下の２ヶ所において前後方向に引き合う形で係合することによって嵌合固定されるとともに、前記払出用フロントパネルの嵌合側面には、先端部に導入傾斜面を有した幅決めリブが水平方向に形成されていることを特徴とする請求項１または請求項２に記載のメダル払出装置。
【請求項４】
前記払出用フロントパネルの下部背面には、該背面より離間するにしたがって下辺が下方に向かう傾斜辺を有する下部フックが突設されるとともに、前記本体ケース内部には、前記下部フックに対向して前記傾斜辺を支持する下部フック支持片が立設されていることを特徴とする請求項１〜請求項３のいずれかに記載のメダル払出装置。
【請求項５】
前記払出用フロントパネルの上位には、前記メダル払出装置にメダルを補給するための補給用フロントパネルが開閉自在に配設され、該補給用フロントパネルの下部より下方に突設させた係止片によって、前記補給用フロントパネルを開扉しないうちは、前記払出用フロントパネルを取り出しが禁止されるように形成されていることを特徴とする請求項１〜請求項４のいずれかに記載のメダル払出装置。
【請求項６】
前記補給用フロントパネルを閉扉したときに、該補給用フロントパネルの前記係止片が前記払出用フロントパネルの上部に設けた係止開口と係合することによって、前記払出用フロントパネルの横ブレを規制するように形成されていることを特徴とする請求項５に記載のメダル払出装置。
【請求項７】
補給用フロントパネルの上部には回動式掛金錠が備わり、本体ケースには、補給用フロントパネルを閉扉して施錠したときに、回動式掛金錠の掛金突片によって隠蔽される位置にリセットボタンが配設されていることを特徴とするメダル払出装置。
【発明の詳細な説明】
【技術分野】
【０００１】  本発明は、スロットマシンに隣設させて遊技客にゲーム用のメダルの貸し出しを行うメダル貸出機に関する。
【背景技術】
【０００２】  メダル貸出機は、通常、スロットマシンごとに隣接して設置され、遊技客がメダル貸出機に備わる紙幣投入口やカード挿入口などから投入する有価価値と引き換えにゲーム用のメダルの払い出しを行うものである。遊技客は席を移動することなくその場で貸し出されたメダルを手にして、スロットマシンのメダル投入口より投入することによって、ゲームを開始できる状態となる。【０００３】  このようなメダル貸出機にあって、たとえば特許文献１には、貸出機本体の前面側に対して払出部パネルを着脱自在に取り付けた構成のものが開示されている。そして、払出部パネルを着脱自在としたことで、遊技客がメダルを取り出すために備えられるメダル受皿の設置場所が貸出機側にあるのか遊技機側にあるのかに応じて、対応する払出部パネルを任意に選択することができるようになっている。【０００４】  このメダル貸出機における払出部パネルの交換は、次のように行われる。まず、払出部パネルを貸出機本体から取り外す場合は、払出部パネルの上位に配設された補給口扉に備えた補給口施錠装置を外部から鍵で操作して施錠を解く必要がある。そして、補給口扉を手前に開いてメダル補給口を開け、次にメダル補給口から手を入れて、払出部パネル側の上方係合金具のフック状先端部を指先で持ち上げることで、本体側の上方係合金具との係合を解除する。これにより、払出部パネルの上部を前方に引き出すことができる。次に、払出部パネルを上方に引き上げることで、払出部パネル側と本体側の下方係合金具同士の係合を解除する。以上のようにして、本体に対する払出部パネルの係止が解除され、払出部パネルを本体から取り外すことができる。【０００５】  鍵についていうと、上記に用いられている鍵は、純粋に施錠のためだけに使用されるものである。一方、鍵の機能と関連させて不正行為の防止を図った他の事例として、特許文献２が挙げられる。これは、出玉率やペイアウト率を段階的に変更できるようにするために遊技機の筐体内部に設けられる切り替えスイッチに関するもので、特徴の第一は、切り替えスイッチがＯＦＦの状態にならなければ鍵の抜き取りが不可能となる構成についての発明である。この発明により、鍵のかけ忘れを防止することができ、また、スイッチをＯＮのままで放置しておくと遊技機外部から加えられる不正な設定変更が容易となる事態を回避することができるとしている。【０００６】  特許文献２の第二の特徴は、切り替えスイッチをＯＮに切り替えた状態で設定の変更を操作することが必要である入賞ゲームの確率設定部について、この確率設定部が蓋でもって覆われ、さらに遊技機の前扉には、前扉を閉じたときにその閉鎖位置において蓋の固定手段である留めねじを覆う遮蔽部が設けられているということである。この遮蔽板が固定手段を隠蔽することで、遊技機の右側面板を取り外して設定ボックス内を不正に操作しようとする行為を防止することができるとしている。【０００７】
【特許文献１】  特開２００２−４５５６１号公報（主に段落番号３３〜３５）
【特許文献２】  特開２００４−６５６８４号公報（主に段落番号１８〜２１）
【発明の開示】
【発明が解決しようとする課題】
【０００８】  払出用フロントパネルが着脱可能に形成されている全てのメダル貸出機に共通していえることであるが、着脱作業の操作性、装着の確実性、正確さ、セキュリティは重要な技術課題である。ところで最近のスロットマシンでは、メダル貸出機の払出口から払い出したメダルをスロットマシンのメダル投入口まで遊技客の手に触れることなく直接投入することのできる新しい機種も登場している。とりわけこのような新機種に対しては、メダルの受け渡しなどの際に支障が生じないように、前記に列記したような技術要素に対してより高いものが求められてきている。【０００９】  このようなスロットマシンの新機種に対応するメダル貸出機では、払出用フロントパネルの内部に、メダルの払い出しを実行するための電動モータやソレノイドなどの電気部品が組み込まれている。さらに、遊技客に各種情報を報知するためのランプ部や数値表示部が払出用フロントパネルに装着されている。しかるに、特許文献１に開示された払出部パネルは、従来形の払出部パネルの交換に関するものであって、電気的な接続の必要がないから、この件については考慮されていない。また、メダル補給口から手を差し入れての着脱作業は、操作性ばかりでなく、安全性についても若干の疑問を感じる。さらに、貯留容量を増加させるためにメダル補給口の設置空間までメダルの貯留タンクとして活用しようとする場合は、蓄積したメダルによって手を差し入れることができなくなる。【００１０】  本発明は、以上のような課題の解決を目的とすると同時に、払出用フロントパネルの着脱の仕組みを構成するうえで、メダル貸出機において簡単に実施することのできるセキュリティ対策についても配慮したものである。
【課題を解決するための手段】
【００１１】  本発明は、以上のような課題に鑑みなされたもので、請求項１に記載の発明は、本体ケース内部に収納されたメダル払出装置を取り出す際に、その前面に備わるメダル払出用のフロントパネルを取り外して作業するように構成されたメダル貸出機において、前記払出用フロントパネルと前記本体ケース内部とを電気的に結線するために設けたコネクタ部について、前記本体ケース側のコネクタ部は上下に移動可能な可動板に取り付けられるとともに、前記可動板と前記払出用フロントパネルの背面とは、そのどちらか一方に備えた凹部と他方に備えた凸部とを係合させた状態で嵌合することを特徴とするメダル払出装置である。【００１２】  以上のように、上下方向に自由度を有する可動板が、払出用フロントパネルの背面との間に形成される凹部と凸部との関係のもとに係合するようにしたから、可動板に取り付けられたコネクタ部の位置合わせを簡単に行うことができる。しかもこのような係合関係を有していることから、コネクタ部に損傷を与えることがなく、確実に結線することができるようになる。【００１３】  請求項２に記載の発明は、請求項１に記載のメダル払出装置において、前記可動板は、長穴によって上下の移動範囲が規制されていることを特徴とする。【００１４】  これは、可動板の上下方向の移動を長穴によって一定の範囲に規制することでもって、コネクタ部の周辺部に過度の負担がかからないようにしたものである。【００１５】  請求項３に記載の発明は、請求項１または請求項２に記載のメダル払出装置において、前記本体ケースと前記払出用フロントパネルとは、そのどちらか一方の側部に備えた剣先状の先端部を有する側部フックと、他方の対向する側部に備えた係止穴とが少なくとも上下の２ヶ所において前後方向に引き合う形で係合することによって嵌合固定されるとともに、前記払出用フロントパネルの嵌合側面には、先端部に導入傾斜面を有した幅決めリブが水平方向に形成されていることを特徴とする。【００１６】  以上のように、側部フックの先端部形状を剣先状としたことによって、係合相手となる係止穴を容易に見つけることができる。さらに、剣先の傾斜形状によって、本体ケースと払出用フロントパネルとの間で引き合う力が発生し、この引張力でもって取り付けられた払出用フロントパネルの横ブレも抑制される。払出用フロントパネルの嵌合側面に設けた水平方向の幅決めリブは、本体ケースとの嵌合のクリアランスを小さくし、場合によっては無くするものであり、横ブレの抑制効果を一層向上させるためのものである。また、幅決めリブ先端部の導入傾斜面は、払出用フロントパネルの嵌合を容易にするものである。【００１７】  請求項４に記載の発明は、請求項１〜請求項３のいずれかに記載のメダル払出装置において、前記払出用フロントパネルの下部背面には、該背面より離間するにしたがって下辺が下方に向かう傾斜辺を有する下部フックが突設されるとともに、前記本体ケース内部には、前記下部フックに対向して前記傾斜辺を支持する下部フック支持片が立設されていることを特徴とする。【００１８】  以上のような構成において、払出用フロントパネルを取り付けるときは、まず、払出用フロントパネルの下部背面より突設��せた下部フックを本体ケースの上方に突設させた下部フック支持片に引っ掛けるようにする。これで払出用フロントパネルを落とすようなことが防がれる。そののち払出用フロントパネルが取り付いた状態となったときは、下部フックの傾斜辺によって下部フック支持片が引っ張られるような形となることでもって横ブレも抑制される。【００１９】  請求項５に記載の発明は、請求項１〜請求項４のいずれかに記載のメダル払出装置において、前記払出用フロントパネルの上位には、前記メダル払出装置にメダルを補給するための補給用フロントパネルが開閉自在に配設され、該補給用フロントパネルの下部より下方に突設させた係止片によって、前記補給用フロントパネルを開扉しないうちは、前記払出用フロントパネルを取り出しが禁止されるように形成されていることを特徴とする。【００２０】  以上のような構成によって、補給用フロントパネルに鍵を設けるならば、払出用フロントパネルに鍵を設ける必要がなくなる。【００２１】  請求項６に記載の発明は、請求項５に記載のメダル払出装置において、前記補給用フロントパネルを閉扉したときに、該補給用フロントパネルの前記係止片が前記払出用フロントパネルの上部に設けた係止開口と係合することによって、前記払出用フロントパネルの横ブレを規制するように形成されていることを特徴とする。【００２２】  以上のように、払出用フロントパネルの横ブレが規制されるばかりでなく、係止片が係止開口の内部に覗く形で係合するようになるので、補給用フロントパネルと払出用フロントパネルとの隙間から紙幣やカードを挿入するという単純ミスを防ぐことができる。【００２３】  請求項７に記載の発明は、補給用フロントパネルの上部には回動式掛金錠が備わり、本体ケースには、補給用フロントパネルを閉扉して施錠したときに、回動式掛金錠の掛金突片によって隠蔽される位置にリセットボタンが配設されていることを特徴とするメダル払出装置である。【００２４】  以上のような構成により、施錠に伴う回動式掛金錠の掛金突片によってリセットボタンの頭部前面が遮蔽されるから、本体ケースと補給用フロントパネルとの隙間から針金等の異物を挿入してリセットボタンを押下するという不正行為を防止することができる。したがって、たとえば不正を働いて多量のメダルの払い出しを行った際に発信されるエラー情報をリセットボタンの押下によって解消するという不正を予防することができる。
【発明の効果】
【００２５】  本発明のメダル貸出機は、上記のような構成の相乗作用でもって、払出用フロントパネルを本体ケースに高い取り付け精度と堅固で安定した装着強度を有して取り付けることができる。したがって、スロットマシンのメダル投入口へ直接メダルを投入する最新の払出用フロントパネルに対しても十分に対応することのできる性能をもっている。また、払出用フロントパネルの本体ケースへの取り付けは、払出用フロントパネルを押し付けるようにしながら操作すればよく、片手でも行うことができる。このとき、電気的な結線も何の支障もなく行われる。【００２６】  払出用フロントパネルの着脱は、補給用フロントパネルの鍵を開錠するだけでよく、しかもこの鍵は、リセットボタンに対する不正行為を防止する機能を兼ねている。
【発明を実施するための最良の形態】
【００２７】  次に、本発明の一実施例について、図を参照しながら説明する。なお、図１は、スロットマシンに隣設させた本発明メダル貸出機の正面図および側面図、図２は、払出用フロントパネルの背面側からの斜視図、図３は、払出用フロントパネルが取り付けられる本体正面側の斜視図、図４は、補給用フロントパネル部の正面図および側面図、図５は、メダル貸出機全体の概要を説明するための側面図である。【００２８】  図１に示すように、スロットマシン１０において、ゲームを開始するに当たり、遊技客は、まず、手元のメダルをメダル投入口１１より投入する必要がある。そののち、スタートレバー１２を押下すると、透明に形成された表示窓から視認される３つのリール１３が一斉に回転を始める。そして、リール１３ごとに対応させて配設された３つのストップボタン１４を押下してリール１３の回転を停止させる。ストップボタン１４を押下しなければ、所定時間の経過後にリール１３は自動的に停止する。そして、停止した３つのリール１３の外筒面に描かれた各種図柄が、遊技客によって選択された入賞ライン上において予め定められた図柄の組み合わせとなったときは、その態様に応じて入賞の種類が決定されて、スロットマシン１０の下部に備えたメダル受皿１５にメダルが払い出される。【００２９】  スロットマシン１０の横には、これに隣接させたメダル貸出機２０が設置されている。このメダル貸出機２０は、その本体ケース２１の前面を、着脱自在に形成されたメダル払出用のフロントパネル２２、その上位に配設されるメダル補給用のフロントパネル２３、さらに最下位に配設される識別装置収納用フロントパネル２４の３種類のフロントパネルによって覆われている。そして、本体ケース２１の内部には、払出用フロントパネル２２の背後にホッパー装置２５、識別装置収納用フロントパネル２４の背後には紙幣識別装置２６が収納され、補給用フロントパネル２３の背後は、多量にメダルを貯留するために使用されるスペースとして確保されている。補給用フロントパネル２３および識別装置収納用フロントパネル２４は、施錠されている。【００３０】  遊技客がゲーム用のメダルを手に入れるためには、識別装置収納用フロントパネル２４に開口する紙幣挿入口２７より紙幣を挿入しなければならない。挿入された紙幣は、紙幣識別装置２６に誘引されて金種と真贋について識別され、その紙幣が受け入れが可能な金種であって真券であると判断された場合には、その価値に応じたメダルが貸し出される。受け入れた紙幣は、紙幣識別装置２６内のスタッカー室に収納される。一方、受け入れを拒否された紙幣は、紙幣挿入口２７を通じて返却される。【００３１】  本実施例では、一例として、内部にメダルの自動投入装置を格納したタイプの払出用フロントパネル２２を採用している。この自動投入装置は、特に図示しないが、駆動モータを動力源として２軸間を周回する搬送ベルトによって構成されたものである。投入された紙幣の価値に相当するメダル枚数は、メダル貸出機２０に装着された制御手段によって、とりあえず記憶される。こののち払出用フロントパネル２２に備えた投入ボタン２８が遊技客によって押下されたときに、ホッパー装置２５が作動を開始す��。【００３２】  投入ボタン２８の押下回数にしたがって、ホッパー装置２５は、メダルの枚数を計数しながら排出する。排出されたメダルは、搬送ベルトに載置されて払出用フロントパネル２２の先端部まで搬送され、起立した状態に姿勢を整えられてからメダル送出口２９より送り出される仕組みとなっている。メダル送出口２９は、スロットマシン１０のメダル投入口１１の近傍に位置するように設定されており、メダル送出口２９より送り出されたメダルは、スロットマシン１０に下り勾配に形成された投入溝１６の間を転がり、メダル投入口１１を通じて落下される。このとき、メダルの受け渡しが支障なくなされるためには、メダル送出口２９が、投入溝１６に対して高い位置精度を保つことが要求される。【００３３】  払出用フロントパネル２２にはまた、メダル詰まり解消ボタン３０が設けられている。このボタンは、搬送ベルト部分でメダル詰まりが発生したときに押下するもので、ボタンの押下によって搬送ベルトが逆転し、詰まったメダルが排除メダル貯留部３１に落とし込まれるようになっている。払出用フロントパネル２２にはさらに、メダル貸出機２０の運転状況や記憶しているメダルの枚数など各種情報をランプ点灯や数値でもって報知する表示部３２が装着されている。【００３４】  次に、図２に基づいて、メダル払出用フロントパネル２２の背面側の構成について説明する。払出用フロントパネル２２の背面は、合成樹脂の外枠３３によって囲われている。外枠３３の外側面には水平方向に沿って幅決めリブ３４が設けられ、本体ケース２１との嵌合精度を高めている。幅決めリブ３４の先端部には導入傾斜面３５が設けられて、払出用フロントパネル２２を本体ケース２１に嵌合させるときの導入作業性を高めている。【００３５】  外枠３３の内側面には、両サイドに板金製の側部枠板３６が固着されている。この側部枠板３６には、後方に向かって、上下の２ヶ所に側部フック３７ａが突設されている。側部フック３７ａは、先端が下方に向かう鉤形をなし、その先端部は剣先状に面取りされている。また、側部フック３７ａのさらに下方には、凸状片３８ａ（凸部）が同じように後方に向かって突設されている。この凸状片３８ａは上方に向かう曲折部を有し、コーナ部は円弧曲線に丸められている。【００３６】  払出用フロントパネル２２の背面中央部は、搬送ベルトや駆動モータなどの収納部を覆う蓋部材によって占められており、その上部には、貸出用のメダルとしてホッパー装置２５から排出されるメダルを受け入れるメダル受取口３９が開設されている。また、払出用フロントパネル２２の下部には、両側に備えた凸状片３８ａによって挟まれる位置に、コネクタ部４０ａが設けられている。このコネクタ部４０ａは、棚板状をなす板面にピンが並列配置された構成のものである。【００３７】  コネクタ部４０ａのさらに下部には、パネル背面から後方に向かう２つの下部フック４１が突設されている。この下部フック４１は、パネル背面より離間するにしたがって下辺が下方に向かう傾斜辺を有して形成されたものである。そして、外枠３３の底部は、下部フック４１が後述する係合に関与する範囲について切り欠かれている。また、外枠３３の上部についても、後述��る補給用フロントパネル２３との係合に関連して、係止開口４２が開設されている。【００３８】  図３は、図２に示した払出用フロントパネル２２の背面部分に対応する本体ケース２１側の斜視図である。本体ケース２１の内部には、ホッパー装置２５が格納されている。ホッパー装置２５は、メダルを貯留するためのホッパータンク２５１とメダル払出機構２５１とによって構成されたものである。そして、制御部より送信される補給指令をホッパー装置２５が受けると、メダル払出機構２５１に組み込まれている図示しない回転板が駆動モータによって回転を開始する。この回転板は円板状をなし、円板の中心軸回りに回転するものである。回転板の円板面には、円周に沿って等配されたメダル直径大の整列穴が開設されている。ホッパータンク２５１に貯留されたメダルは、整列穴を埋めるようにして嵌合したのち、回転板が所定の位置にまで回転してきたときに、回転板の外周方向に強制的に移動させられて１枚ずつ計数されたうえで送り出される仕組みとなっている。【００３９】  ホッパー装置２５は、本体ケース２１の内側壁に固着されたガイドレール４３に載置されており、ホッパー装置２５にメダル詰まりなどのトラブルが生じたときは、手前に引き出して対処することができる。ホッパー装置２５には、メダルを送り出すメダル送出口４４が配設されている。払出用フロントパネル２２のメダル受取口３９は、このメダル送出口４４に対向して設けられるものである。そして、ガイドレール４３と、本体ケース２１の上部内側壁とには、側部フック３７ａの剣先部を受け入れて係合するための角穴からなる係止穴３７ｂが両側に設けられている。【００４０】  払出用フロントパネル２２に備えたコネクタ部４０ａと対向する位置には、コネクタ部４０ａの接続相手となるコネクタ部４０ｂが配設されている。コネクタ部４０ｂは凹状に形成され、凹部の内側にピンが並列配置されたものである。そして、コネクタ部４０ａを受け入れたときにピン同士が接触することにより、結線状態を作り出す。このコネクタ部４０ｂは、上下に移動することのできる可動板４５に保持されており、図５に示す長穴４６によってその移動範囲が規制されている。可動板４５は、コ字状に曲折された凹状片３８ｂ（凹部）により形成されるもので、払出用フロントパネル２２に備えた凸状片３８ａと係合する。【００４１】  本体ケース２１の下方底面には、下部フック支持片４７が立設されている。この下部フック支持片４６は、その上縁でもって、下部フック４１に形成された傾斜した下辺に当接して払出用フロントパネル２２を支持するものである。【００４２】  なお、言うまでもなく、上記のフック部やコネクタ部の係合の関係は、その凹凸が、払出用フロントパネル２２と本体ケース２１とで上記実施例とは逆に形成されたものであっても構わない。【００４３】  次に、図４に示すように、補給用フロントパネル２３は、下端部に取り付けた蝶番５０によって上開きに開閉自在に構成されている。補給用フロントパネル２３の両サイドは、側板５１が補給用フロントパネル２３と一体的に形成され、本体ケース２１の両側壁に取り付けられた袋板５２によって形成される間隙に浸入した状態で組み立てられている��そして、補給用フロントパネル２３を開けた状態では、側板５１に設けた切欠段部によって開き角度が拘束され、側板５１の間にメダル補給口５９が出現する（図５参照）。人手によるメダルの補給は、このメダル補給口５９より行われる。投下されたメダルは、滑降板５３を介してホッパー装置２５のホッパータンク２５１に貯留される。【００４４】  ホッパータンク２５１が貯留されたメダルで満杯となったときは、補給用フロントパネル２３の後方の空間が貯留タンクとして機能して、ホッパータンク２５１とともに大容量のメダルタンクを確保する。したがって、前記空間部には、貯留するメダル量を検知して補給の管理を行うための貯留センサ５４が、天板部より垂下している。また、天板部上部前方には、発信されたエラー情報を解消して元の状態に復帰させるときに押下するリセットボタン５５が装着されている。【００４５】  補給用フロントパネル２３には、営業時は鍵が掛けられる。この鍵は、回動式掛金錠５６が用いられ、図４（ａ）に示すように、鍵を掛けた状態において掛金突片５７がリセットボタン５５の前方を覆うように形成されている。したがって、払出用フロントパネル２２と補給用フロントパネル２３との隙間からの針金などによる異物の進入が遮蔽される。リセットボタン５５に対する不正な押下が防止できるので、メダル貸出機２０の他の箇所に加えられた不正によって発信されるエラー情報を正常な状態に復帰させてから、さらにその不正行為を繰り返すという不正を防止することができる。一方、店員などによって正当に開錠されたときは、掛金突片５７が回動してリセットボタン５５に対する遮蔽が解かれる。補給用フロントパネル２３を手前に開けると、現れたリセットボタン５５を指先で押下することができる。【００４６】  補給用フロントパネル２３の下端部には、その下方に向かう係止片５８が突設されている。この係止片５８は、補給用フロントパネル２３の開閉に伴って前後に回動する。補給用フロントパネル２３が閉じられた状態では、係止片５８が払出用フロントパネル２２上部に開設された係止開口４２と係合するようになって、払出用フロントパネル２２の特に上部における横ブレが規制される。【００４７】  払出用フロントパネル２２の取り付け方法について、図５を参照しながら説明する。まず、補給用フロントパネル２３が開けられた状態にあり、払出用フロントパネル２２が取り外された状態にあるときに、矢印Ａのように、払出用フロントパネル２２を斜め上方から本体ケース２１の正面側から差し入れる。このとき、払出用フロントパネル２２の下部フック４１が、本体ケース２１側の下部フック支持片４７を包み込むように差し込む。そののち、払出用フロントパネル２２の上部を本体ケース２１側に押し付けるようにする。払出用フロントパネル２２は、下部フック支持片４７によって下部フック４１が支持されているので、外れ落ちることなく、支持点が支点となって矢印Ｂのように回動する。【００４８】  矢印Ｂのように回動する過程で、払出用フロントパネル２２の凸状片３８ａと可動板４５の凹状片３８ｂとが係合する。このとき、凸状片３８ａのコーナが円弧状に面取りされており、相手方の凹状片３８ｂが上下に移動可能に���成されているので、多少の位置のズレは吸収される。凸状片３８ａと凹状片３８ｂとの係合がスムーズになされることによって、コネクタ部４０ａ，４０ｂの接続が安全かつ正確に行われる。【００４９】  払出用フロントパネル２２の背面全体を本体ケース２１に押し付けた状態のまま、払出用フロントパネル２２を矢印Ｃのように上方に摺動させる。可動板４５は追随して上方に移動するが、可動板４５に設けた長穴４６によって移動距離が規制されているので、摺動時にコネクタ部４０ａ，４０ｂやこれに付随ずる配線に過度の負担をかけることから回避される。そののち、払出用フロントパネル２２を下方に摺動させることによって、側部フック３７ａと係止穴３７ｂとの上下２ヶ所における係合、および下部フック４１と下部フック支持片４７との係合によって起きる相互の引き寄せ作用、さらに幅決めリブ３４などが相乗的に作用して、払出用フロントパネル２２と本体ケース２１との勘合がしっかりと行われる。それ故、取付位置の正確さも高いものとなる。これらの一連の取付作業は、片手によっても行うことができる。【００５０】  最後に、補給用フロントパネル２３を閉じて、回動式掛金錠５６を回して施錠する。このとき、補給用フロントパネル２３の下端部に突設させた係止片５８が、払出用フロントパネル２２の上端部に開設した係止開口４２と係合するので、払出用フロントパネル２２の取り付けは、一層確実なものとなる。また、係止片５８が、補給用フロントパネル２３と払出用フロントパネル２２との間に形成される間隙を遮蔽するので、この間隙より紙幣等を挿入するといううっかりミスも防止することができる。
【図面の簡単な説明】
【００５１】
【図１】  スロットマシンに隣設させた本発明メダル貸出機の（ａ）は正面図、（ｂ）は側面図である。
【図２】  払出用フロントパネルの背面側からの斜視図である。
【図３】  払出用フロントパネルが取り付けられる本体正面側の斜視図である。
【図４】  補給用フロントパネル部の（ａ）は正面図、（ｂ）は側面図である。
【図５】  メダル貸出機全体の概要を説明するための側面図である。
【符号の説明】
【００５２】  １０  スロットマシン
２０  メダル貸出機
２１  本体ケース
２２  払出用フロントパネル
２３  補給用フロントパネル
２５  ホッパー装置
３４  幅決めリブ
３７ａ  側部フック
３７ｂ  係止穴
３８ａ  凸状片（凸部）
３８ｂ  凹状片（凹部）
４０ａ，４０ｂ  コネクタ部
４１  下部フック
４２  係止開口
４６  長穴
４７  下部フック支持片
５５  リセットボタン
５６  回動式掛金錠
５７  掛金突片
５８  係止片
【図１】
2008012251.tif 000003
【図４】
2008012251.tif 000004
【図２】
2008012251.tif 000005
【図３】
2008012251.tif 000006
【図５】
2008012251.tif 000007